(57)【要約】      （修正有）【課題】商品等購入者に対しては商品等選定の際に信頼性の高い情報を提供し、また、商品等の選定に高い能力を有する者に対しては金銭的な報酬を得易くするシステム等を提供する。【解決手段】閲覧者端末から所定の検索条件を受け取り検索結果を表示するサーバであり、複数の商品の商品情報と商品の画像と、これら商品の中の一部をめきき商品としてリストアップしためきき商品リストと、ナビゲーションキャラクターの画像と、アイコンの画像とを記憶する記憶手段と、検索条件を満たす商品を抽出する抽出手段と、抽出された商品群の中にめきき商品が含まれるか否かをチェックするチェック手段と、商品ごとに商品情報と商品の画像とを領域を分けて表示し、かつ商品群の中にめきき商品が含まれている場合に、商品群を表示するページにナビゲーションキャラクターを表示し、かつ、めきき商品が表示される領域にアイコンを表示する画面構成情報生成手段と、を有する。【選択図】図２
2014109909.tif 000002
【特許請求の範囲】
【請求項１】
コンピュータネットワークを介してページ閲覧者端末から所定の検索条件を受け取り、前記検索条件を満たす検索結果を表示するために必要な画面構成情報を提供するサーバであって、
前記サーバは、
複数の商品の商品情報と、これら複数の商品の画像ファイルと、これら複数の商品の中の一部の商品をめきき商品としてリストアップしためきき商品リストと、ナビゲーションキャラクターの画像ファイルと、アイコンの画像ファイルとを記憶する記憶手段と、
前記記憶手段に記憶されている商品の中から前記検索条件を満たす商品を抽出する抽出手段と、
前記抽出された商品からなる商品群の中に前記めきき商品が含まれているか否かを、前記めきき商品リストを参照して、チェックするチェック手段と、
前記商品群に含まれる商品を商品ごとに、前記商品情報と前記商品の画像ファイルとを領域を分けて表示させ、かつ
前記めきき商品チェック手段が前記商品群の中にめきき商品が含まれていると判断した場合に、
前記商品群を表示するページに前記ナビゲーションキャラクターを表示させ、かつ
前記めきき商品が表示される領域に前記アイコンを表示させる、画面構成情報を生成する画面構成情報生成手段と、
を有することを特徴とするサーバ。
【請求項２】
前記記憶手段は、店舗コード、商品コード、めきき商品に関するめきき人のコメント、めきき人の画像ファイル、およびめきき人に関する情報を関連付けて記憶し、
前記画面構成情報生成手段は、前記アイコンに関して所定のイベントが発生した際の遷移先として、
前記アイコンが表示されている領域と同じ領域に表示されている商品の店舗コードと商品コードの組み合わせに関連付けられている、前記めきき人の画像ファイル、前記めきき人に関する情報および前記めきき人のコメントが表示されるポップアップウィンドウが設定された画面構成情報を生成する、請求項１に記載のサーバ。
【請求項３】
前記記憶手段は、店舗コード、商品コード、商品価格およびアフィリエイト料率を関連付けて記憶し、また、前記商品の販売が成立した際に、店舗コード、商品コードおよび販売数を関連付けて記憶し、
前記サーバは、下記式（１）によって報酬を計算する報酬計算手段をさらに有する請求項１又は２に記載のサーバ。
報酬＝商品価格×販売数×アフィリエイト料率  （１）
【請求項４】
コンピュータネットワークを介してページ閲覧者端末から所定の検索条件を受け取り、前記検索条件を満たす検索結果を表示するために必要な画面構成情報を提供するサーバの管理方法であって、
前記サーバが、
記憶手段に、複数の商品の商品情報と、これら複数の商品の画像ファイルと、これら複数の商品の中の一部の商品をめきき商品としてリストアップしためきき商品リストと、ナビゲーションキャラクターの画像ファイルと、アイコンの画像ファイルとを記憶するステップと、
抽出手段によって、前記記憶手段に記憶されている商品の中から前記検索条件を満たす商品を抽出するステップと、
チェック手段によって、前記抽出された商品からなる商品群の中に前記めきき商品が含まれているか否かを、前記めきき商品リストを参照して、チェックするステップと、
画面構成情報生成手段によって、前記商品群に含まれる商品を商品ごとに、前記商品情報と前記商品の画像ファイルとを領域を分けて表示させ、かつ
前記めきき商品チェック手段が前記商品群の中にめきき商品が含まれていると判断した場合に、
前記商品群を表示するページに前記ナビゲーションキャラクターを表示させ、かつ
前記めきき商品が表示される領域に前記アイコンを表示させる、画面構成情報を生成するステップと、
を有することを特徴とするサーバの管理方法。
【請求項５】
請求項４に記載のサーバの管理方法の各ステップをコンピュータに実行させることを特徴とするサーバプログラム。
【発明の詳細な説明】
【技術分野】
【０００１】
本発明は、サーバ、サーバの管理方法、およびサーバプログラムに関する。
特に本発明は、インターネット上で商品やサービス（以下、単に「商品」ともいう）を販売する商用サイト（以下、「広告主サイト」ともいう）において商品等を推薦する推薦人のコメント等を掲載し、商品等の購入の促進を図るために用いられる技術に関する。
【背景技術】
【０００２】
近年、インターネットの普及に伴い、実際に店舗で取り扱っている商品をインターネット上に開設されたサイト（ＥＣサイト）等を通じて販売することが盛んに行われている。そして、インターネットなどのサイバースペースにおいて、多種多様な商品が販売され、またそれら商品に関して多種多様な宣伝広告がなされ、さらにそれら商品を購入した一般消費者の多種多様な評価（いわゆる「口コミ」）が閲覧可能となっている（例えば、特許文献１参照）。
【先行技術文献】
【特許文献】
【０００３】
【特許文献１】特開２００８−１９１９０２号公報
【発明の概要】
【発明が解決しようとする課題】
【０００４】
商品購入予定者は、口コミを参考にして、購入する商品等を決定することもあるが、その際には口コミの情報としての正確性、客観性などを検討する必要があり、そのような検討を煩わしいと感じている人々も少なくない。
【０００５】
一方、日々多くの商品（例えば、食材）を購入し使用している職業人（例えば、シェフ）は一般消費者よりも商品等に関して詳しい知識を有し、また正確性、客観性が高い情報を提供することが可能である。
しかし、忙しい本業の合間をぬって、そのような詳しい知識や、正確性および客観性が高い情報を発信することへのインセンティブが無いため、そのような知識や情報が実際に発信されることは少ない。
【０００６】
そこで本発明は、上記問題点を解決するためになされたものであり、商品購入予定者が専門性・正確性・客観性のある情報に簡易迅速にアクセスすることを可能にするものである。
また、本発明は、専門的な知識を有する職業人が、忙しい本業の合間に専門性・正確性・客観性のある情報を、一般消費者に提供することへのインセンティブを提供するものである。
【課題を解決するための手段】
【０００７】
本発明のサーバは、
コンピュータネットワークを介してページ閲覧者端末から所定の検索条件を受け取り、前記検索条件を満たす検索結果を表示するために必要な画面構成情報を提供するサーバであって、
前記サーバは、
複数の商品の商品情報と、これら複数の商品の画像ファイルと、これら複数の商品の中の一部の商品をめきき商品としてリストアップしためきき商品リストと、ナビゲーションキャラクターの画像ファイルと、アイコンの画像ファイルとを記憶する記憶手段と、
前記記憶手段に記憶されている商品の中から前記検索条件を満たす商品を抽出する手段と、
前記抽出された商品からなる商品群の中に前記めきき商品が含まれているか否かを、前記めきき商品リストを参照して、チェックするめきき商品チェック手段と、
前記商品群に含まれる商品を商品ごとに、前記商品情報と前記商品の画像ファイルとを領域を分けて表示させ、かつ
前記めきき商品チェック手段が前記商品群の中にめきき商品が含まれていると判断した場合に、
前記商品群を表示するページに前記ナビゲーションキャラクターを表示させ、かつ
前記めきき商品が表示される領域に前記アイコンを表示させる、画面構成情報を生成する画面構成情報生成手段と、
を有することを特徴とするサーバである。
【０００８】
画面構成情報とは、動的に生成されるＨＴＭＬファイルなどである。商品情報とは、商品購入判断に必要な情報を言い、商品の産地、生産者、販売者、販売単位（個数、重さなど）、価格などである。
【０００９】
「前記商品群に含まれる商品を商品ごとに、前記商品情報と前記商品の画像ファイルとを領域を分けて表示させ」とは、例えば検索条件を満たす商品として第１の商品と第２の商品が抽出された場合に、第１の商品に関する商品情報および画像を表示する第１の領域と、第２の商品に関する商品情報および画像を表示する第２の領域とを分けて表示させるという意味である。
【００１０】
「前記商品群を表示するページに前記ナビゲーションキャラクターを表示させ」とは、検索条件を満たす商品を表示するページであれば、めきき商品だけを表示するページであっても、めきき商品と非めきき商品の両方を表示するページであっても、前記ナビゲーションキャラクターを表示させるという意味である。
「前記めきき商品が表示される領域に前記アイコンを表示させ」とは、検索条件を満たす商品を表示するページの、めきき商品を表示する領域にのみ、前記アイコンを表示させるという意味である。
【００１１】
このような構成とすることで、ページ閲覧者（ユーザ）は、ナビゲーションキャラクターの表示の有無に基づいて閲覧しているページ内にめきき商品が含まれているか否かを瞬時に判断することができ、かつアイコンの表示の有無に基づいてめきき商品を表示している領域がどこかを瞬時に判断することができる。
【００１２】
また本発明のサーバにおいて、
前記記憶手段は、店舗コード、商品コード、めきき商品に関するめきき人のコメント、めきき人の画像ファイル、およびめきき人に関する情報を関連付けて記憶し、
前記画面構成情報生成手段は、前記アイコンに関して所定のイベントが発生した際の遷移先として、前記アイコンが表示されている領域と同じ領域に表示されている商品の店舗コードと商品コードの組み合わせに関連付けられている、前記めきき人の画像ファイル、前記めきき人に関する情報および前記めきき人のコメントが表示されるポップアップウィンドウが設定された画面構成情報を生成する、ことが好ましい。
【００１３】
「めきき人」とは、商品等に関して専門性、客観性、正確性、信頼性の高いコメントを提供する（つまり、めききをする）自然人、法人、またはめききをする自然人が所属しているお店の屋号などを意味する。
「前記アイコンに関して所定のイベントが発生した際の遷移先として、前記アイコンが表示されている領域と同じ領域に表示されている商品の店舗コードと商品コードの組み合わせに関連付けられている、前記めきき人の画像ファイル、前記めきき人に関する情報および前記めきき人のコメントが表示されるポップアップウィンドウが設定され」とは、
前記アイコンに関して所定のイベントが発生した際の遷移先として、ポップアップウィンドウが設定され、
このポップアップウィンドウに、前記アイコンが表示されている領域と同じ領域に表示されている商品の「店舗コードと商品コードの組み合わせ」に関連付けられている「前記めきき人の画像ファイル、前記めきき人に関する情報および前記めきき人のコメント」が表示される、という意味である。
店舗コードと商品コードの組み合わせはユニークなものであって、一意に商品を特定することができる。
【００１４】
このような構成とすることで、前記アイコンに関して所定のイベント（クリックやマウスオンなど）が発生すると、前記アイコンが表示されている領域と同じ領域に表示されている商品に関する「前記めきき人の画像ファイル、前記めきき人に関する情報および前記めきき人のコメント」が表示される。
これによりページ閲覧者（ユーザ）は、「めきき人のコメント」から商品に関する詳しい情報を知ることができ、またそのコメントを書いためきき人に関する情報も知ることができる。つまり、どこの誰が書いたか分からないコメントではなく、信頼性・客観性・正確性の高い商品コメントを読むことができ、安心・納得・満足して商品の購入を決定することができる。
【００１５】
さらに本発明のサーバにおいて、
前記記憶手段は、店舗コード、商品コード、商品価格およびアフィリエイト料率を関連付けて記憶し、また、前記商品の販売が成立した際に、店舗コード、商品コードおよび販売数を関連付けて記憶し、
前記サーバは、下記式（１）によって報酬を計算する報酬計算手段をさらに有することが好ましい。
報酬＝商品価格×販売数×アフィリエイト料率  （１）
【００１６】
このような構成とすることで、商品の販売が背率した際に、めきき人に所定の報酬を支払うことが可能となり、めきき人が情報を提供することへのインセンティブとなる。
【発明の効果】
【００１７】
ページ閲覧者は、信頼性・客観性・正確性の高い商品コメントを読むことができる商品が含まれているページか、どの商品に関してそのようなコメントを読むことができるかを簡易・迅速に判断することができ、また、そのようなコメントをコメント提供者（めきき人）に関する情報とともに読むことができる。
さらに、めきき人は情報提供に対価を得られるとともに、専門的な商品知識を読んでもらうことで自分自身のブランド化や自分が所属する店の宣伝にもなる。
【図面の簡単な説明】
【００１８】
【図１】本発明のサーバにより提供される商品情報提供システムの処理の流れの概要を示す。
【図２】第１実施形態におけるサーバの構成を機能的に示す。
【図３】第１実施形態におけるめきき商品掲載ウェブページの一例を示す。
【図４】第１実施形態におけるめききする側（個人又は店）とされる側（商品）の関係を示す。
【図５】第１実施形態におけるめきき商品として情報（推薦人や店の画像やコメントおよび商品ページへの遷移ＵＲＬ）を登録するためのファイルの一例を示す。
【図６】第１実施形態におけるめきき商品として登録された商品を紹介する画面の挙動の一例を示す。
【発明を実施するための形態】
【００１９】
以下、図面を参照しながら、本発明の第１の実施形態にかかるサーバにより提供される商品情報提供システムを説明する。
本実施形態では、商品は食材、飲料（酒など）、食関連商材（食器など）であり、めきき人はシェフ、料理人、食関連人（料理研究家や評論家など食の仕事に関わる人）とする。また、めきき人の推薦する商品を食市場の実店舗で販売するという流れで説明するが、食市場の実店舗ですでに販売されている食材をめきき人が推薦するという流れでもよい。
【００２０】
＜全体像＞
図１は、本発明のサーバにより提供される商品情報提供システムの処理の流れの一例を示す図である。
ステップＳ１０１では、シェフ・料理人などで使用している愛用の食材や加工品などを推薦する。
ステップＳ１０２では、食市場（実店舗）で、めきき人が推薦する食材を販売するための準備をする。具体的には、商品の仕入れ先を確保したり、販売単位、販売価格、商品配送の方法、決済の方法などを決めたりする。めきき人に応じてアフィリエイト料率を変えてもよい。つまり、アフィリエイト料率が高いめきき人と、アフィリエイト料率が低いめきき人と、が混在してもよい。
【００２１】
ステップＳ１０３では、めきき人が推薦した商品をめきき商品としてシステムに登録する。販売単位、販売価格、商品配送の方法、決済の方法、アフィリエイトの対象か否かを示すフラグもシステムに登録する。めきき人に応じてアフィリエイト料率を変える場合は、各めきき人のアフィリエイト料率もシステムに登録する。
ステップＳ１０４では、めきき人が推薦した商品をめきき商品としてサイトに掲載し、販売する。つまり、商品の名称、商品の特性（産地、形状、販売価格など）および、めきき人の商品に関するコメントが、販売用のウェブページに掲載され、一般消費者（ユーザ）がそのウェブページにおいて注文に必要な情報（販売数量など）を入力し、決済に必要な情報（ユーザが決済に使用するカードの情報など）を入力することが可能となる。
【００２２】
ステップＳ１０５では、販売用のウェブページにおいて、ユーザが商品購入に必要な情報を入力し、「購入」ボタンをクリックするなどして商品購入の意思表示をすると、ステップＳ１０６で本システムから商品購入に関する情報が実店舗に送信される。
ステップＳ１０７では、実店舗において受注に関する処理が実行され、商品の梱包、配送手配が行われる。
ステップＳ１０８では、ユーザが商品を受領する。
【００２３】
ステップＳ１０９では、めきき商品の売り上げを集計する。例えば、商品販売毎に商品販売額として集計され、そして、各商品の販売額にアフィリエイト率を乗算して得られる報酬金額が、めきき人毎に集計される。
ステップＳ１１０では、報酬がめきき人にキックバックされる。例えば、１か月分の報酬金額の合計額が、めきき人によって指定された銀行口座に毎月振り込まれる。
【００２４】
＜サーバの構成＞
図２に基づいてサーバの構成を説明する。以下では説明の都合上、一つのサーバだけで本発明の実施が可能であるように説明するが、サーバをウェブサーバとデータベースサーバに分けてもよい。
同図に示すように、サーバ２３は、インターネットなどのコンピュータネットワーク２２を介してウェブページの閲覧者の閲覧者端末２１と通信可能である。
サーバ２３は、画面構成情報生成手段２５、記憶手段２６、送受信手段２７、報酬計算手段２８、抽出手段２９およびチェック手段３０を有する。
【００２５】
記憶手段２６は、複数の商品の商品情報と、これら複数の商品の画像ファイルと、これら複数の商品の中の一部の商品をめきき商品としてリストアップしためきき商品リストと、ナビゲーションキャラクターの画像ファイルと、アイコンの画像ファイルとを記憶する。
また、記憶手段２６は、店舗コード、商品コード、めきき商品に関するめきき人のコメント、めきき人の画像ファイル、およびめきき人に関する情報を関連付けて記憶する、ことが好ましい。
さらに、記憶手段２６は、店舗コード、商品コード、商品価格およびアフィリエイト料率を関連付けて記憶し、また、前記商品の販売が成立した際に、店舗コード、商品コードおよび販売数を関連付けて記憶する、ことが好ましい。
【００２６】
抽出手段２９は、記憶手段２６に記憶されている商品の中から検索条件を満たす商品を抽出する。
チェック手段３０は、抽出された商品からなる商品群の中に前記めきき商品が含まれているか否かを、前記めきき商品リストを参照して、チェックする。
画面構成情報生成手段２５は、前記商品群に含まれる商品を商品ごとに、前記商品情報と前記商品の画像ファイルとを領域３０５（図３）を分けて表示させ、かつ
チェック手段３０が前記商品群の中にめきき商品が含まれていると判断した場合に、
前記商品群を表示するページにナビゲーションキャラクター３０２（図３）を表示させ、かつ
前記めきき商品が表示される領域にアイコン３０３（図３）を表示させる、画面構成情報を生成する。
【００２７】
画面構成情報生成手段２５は、アイコン３０３（図３）に関して所定のイベントが発生した際の遷移先として、ポップアップウィンドウ６０１（図６）が設定された画面構成情報を生成する、ことが好ましい。
ポップアップウィンドウ６０１（図６）には、アイコン３０３（図３）が表示されている領域と同じ領域３０５ｂ（図３）に表示されている商品の店舗コードと商品コードの組み合わせに関連付けられている、前記めきき人の画像ファイル、前記めきき人に関する情報および前記めきき人のコメントが表示される。
【００２８】
報酬計算手段２８は、下記式（１）によって報酬を計算する。
報酬＝商品価格×販売数×アフィリエイト料率  （１）
送受信手段２７は、閲覧者端末２１から検索条件などを受信し、閲覧者端末２１へ画面構成情報などを送信する。
【００２９】
［めきき商品リスト］
表１にめきき商品リストの一例を示す。めきき商品リストは、めきき商品としてのフラグ立てを行うための対象商品リストである。
【００３０】
【表１】
2014109909.tif 000003
【００３１】
［めきき商品掲載ウェブページ］
図３にめきき商品掲載ウェブページの一例を示す。
表１のフラグ用の店舗コードで特定される店のめきき商品を掲載しているウェブページ３０１には、めきき商品掲載ウェブページであることを示すナビゲーションキャラクター３０２などが表示される。
また、表１のフラグ用の商品コードで特定される商品掲載箇所には、めきき商品であることを示すアイコン３０３などが表示される。
【００３２】
［受注履歴リスト］
表２に受注履歴リストの一例を示す。受注履歴リストは、キックバック対象となるめきき商品の購入履歴の確認のために用いる。ショッピングモール管理画面よりダウンロード可能とする。
表２に示すように、各レコードには店舗コード、商品コード、価格、購入数、注文者に関する情報、送付先に関する情報、設定アフィリエイト料率、めきき商品か否かなどが記憶される。
【００３３】
【表２】
2014109909.tif 000004
【００３４】
（価格）×（購入数）×（設定アフィリエイト料率）×（めきき商品フラグ）＝（キックバック金額）の計算式に基づいてキックバック金額が計算される。
図４に示すように、めききする側（個人又は店）とされる側（商品）の関係は以下の４パターンがある。
ａ）めききする側（個人又は店）対めききされる側（商品）が一対一、
ｂ）めききする側（個人又は店）対めききされる側（商品）が一対多、
ｃ）めききする側（個人又は店）対めききされる側（商品）が多対一、
ｄ）めききする側（個人又は店）対めききされる側（商品）が多対多。
【００３５】
［情報登録ファイル］
図５に、めきき商品として情報（推薦人や店の画像やコメントおよび商品ページへの遷移ＵＲＬ）を登録するためのファイルの一例を示す。
同図に示すように、めききされた商品の名前、めききした人の画像ファイルが保存されている場所を示すパス、めききした人の画像がクリックされたときの遷移先のＵＲＬ、めききした人か店の名前、めききされた商品に関するコメントなどが登録される。
【００３６】
［めきき商品表示ポップアップウィンドウ］
図６は、めきき商品として登録された商品を紹介する画面の挙動の一例を示す。同図の例では、めきき商品に関連付けて表示されるアイコン（図３のアイコン３０３）がマウスオンされたときにポップアップウィンドウ６０１が表示される。
ポップアップウィンドウ６０１内には、商品のイメージ、めきき人のイメージ、めきき商品の名前、めきき人が所属する店の名前、めきき人の名前、めきき人のコメントなどが表示される。
【符号の説明】
【００３７】
２１：閲覧者端末
２２：コンピュータネットワーク
２３：サーバ
２５：画面構成情報生成手段
２６：記憶手段
２７：送受信手段
２８：報酬計算手段
２９：抽出手段
３０：チェック手段
【図１】
2014109909.tif 000005
【図２】
2014109909.tif 000006
【図３】
2014109909.tif 000007
【図４】
2014109909.tif 000008
【図５】
2014109909.tif 000009
【図６】
2014109909.tif 000010